(57)【要約】  ラジオ放送局及び／またはテレビ放送局（１３，２２１）の地理的ロケーションポイントまたは位置、ダイヤル（１４，２２２）、及び／またはオンデマンド放送のＵＲＬアドレス（３２１）とを有する、ラジオ放送局及び／またはテレビ放送局についての第１の放送局データベース（１，２１，３１）と、一連のフィールド（１１，２１１，３１１）によりユーザのリスニングの好みに応じて設定された少なくとも１つのユーザプロファイルを有する第２のユーザプロファイルデータベース（２，２２，３２）とを少なくとも備えた、ラジオ放送局を自動的に探し出す方法及び装置。
2013511880.tif 000002
【特許請求の範囲】
【請求項１】
ラジオ放送局及び／またはテレビ放送局（１３，２２１）の地理的ロケーションポイントまたは位置、ダイヤル（１４，２２２）、及び／またはオンデマンド放送のＵＲＬアドレス（３２１）とを有する、ラジオ放送局及び／またはテレビ放送局についての第１の放送局データベース（１，２１，３１）と、
一連のフィールド（１１，２１１，３１１）によりユーザのリスニングの好みに応じて設定された少なくとも１つのユーザプロファイルを有する第２のユーザプロファイルデータベース（２，２２，３２）と
を少なくとも備えた、ラジオ放送局を自動的に探し出す方法であって、
（ａ）上記第２のユーザプロファイルデータベース（２，２２，３２）に少なくとも１つのユーザプロファイルを定義し、上記ユーザプロファイルは、少なくとも、上記ユーザに関してのリスニングの好みを有しており、
（ｂ）上記ユーザの位置（４，２４）について少なくとも１つのロケーションポイントを確立し、
（ｃ）上記（ｂ）で確立されたユーザの現在位置および上記（ａ）において設定された好みに応じて、上記ユーザに、上記ロケーションポイントにおける上記の特徴に合致する放送局を示し、上記ロケーションポイントでカバレージを有し上記ユーザの好みに合致する放送局の正確なダイヤルを示す
ことを特徴とする方法。
【請求項２】
請求項１に記載の方法において、
（ｉ）上記現在位置（４，２４）と放送局（１３，２２１）とがマッチするもの（１０１，２０１）を探すステップと、
上記放送局は、山地地形性に応じて変動するカバレージ半径を有しており、
（ｉｉ）上記第２の放送局データベース（２，３２）においてマッチするものが見つかると（１０２，２０２）、上記第１のプロファイルデータベース（１，２１）においてユーザが定義した好み（１０３，２０３）がそれらの間でマッチするかが求められ、マッチする場合にはダイアルを表示する（５，１０５，２５，２０５）ステップ
とを有するサーチアルゴリズム（３，２３）を行うことを特徴とする方法。
【請求項３】
請求項２に記載の方法において、
次のカバレージ領域までの残りの距離を算出することを特徴とする方法。
【請求項４】
請求項１から３までの何れか１に記載の方法において、
好きな第２の放送を録音するステージを備えて、後でユーザの意向でその放送が放送されるのを可能にしたことを特徴する方法。
【請求項５】
請求項１から４までの何れか１に記載の方法において、
ユーザが選択したルートに応じて、ラジオ放送及び／またはテレビ放送をルーチン的に再生するステージを備えたことを特徴とする方法。
【請求項６】
請求項１から５までの何れか１に記載の方法において、
ダイヤル定義とラジオ受信機とが一体化されていて、ポジティブのダイヤル（５，１０５，２５，２０５）を自動的に走らすことを特徴とする方法。
【請求項７】
請求項１または２に記載の方法において、
適当なプロファイルを見つけられない場合には（１０４Ａ）、「プロファイル外の放送局」の旨のメッセージを表示して、定義されたプロファイルとは無関係に、カバレージを有する放送局をリストアップする一方、原因が放送局のカバレージの欠如による場合には、カバレージが無いことについてのメッセージを表示する（２０３Ａ）ことを特徴する方法。
【請求項８】
請求項１から７までの何れか１に記載の方法において、
ＧＰＲＳを介してラジオ放送局及び／またはテレビ放送局に、または、他のＧＰＲＳ装置に、データを送信するステージを備えたことを特徴とする方法。
【請求項９】
ラジオ放送局の地理的ロケーションポイント（１３，２２１）及びダイヤル（１４，２２２）を有する第１のラジオ放送局データベース（１，２１）と、
一連のフィールド（１１，２１１）によりユーザのリスニングの好みに応じて設定された少なくとも１つのユーザプロファイルを有する第２のユーザプロファイルデータベース（２，２２）と
を少なくとも備えた、ラジオ放送局（１０，２１０）を自動的に探し出す装置であって、
請求項１から８までのいずれか１に記載の方法を実行するための手段を備えたことを特徴とする装置。
【請求項１０】
請求項９に記載の装置において、
データを送受信するためのＧＰＲＳ手段を備えたことを特徴とする装置。
【請求項１１】
請求項９または１０に記載の装置を備えたことを特徴とする携帯電話。
【請求項１２】
請求項１に記載の方法において、
サーチアルゴリズム（３３）によって、聴いている放送局のカバレージが喪失したときに確立して、放送局データベースに対応するオンデマンド放送のＵＲＬアドレスに接続するステージをさらに備え、
オンデマンド放送が利用できず、リンクが無く、またはリンクがトランケートされている(truncado)場合には、第２のデータベースに示されたユーザプロファイルに適した接続の提案リストをユーザに提供することを特徴とする方法。
【請求項１３】
請求項１２に記載の方法において、
上記サーチアルゴリズム（３３）は、
（ｉ）現在の放送について、カバレージがあるかないかを分析し（３０１）、もしあれば、アルゴリズムはスタート（３００）で終了して、上記放送についてカバレージがある、または、ないことを確認することによってループを確立するステップと、
（ｉｉ）カバレージがない場合には、アルゴリズムが上記第２の放送局データベース（３２）においいてＵＲＬアドレスを探し（３０２）、そのＵＲＬアドレスに接続して、リンクが利用可能（３０３）かトランケートされている（truncado)(３０４）かを発見し、リンクが利用可能（３０３）ならば、カバレージの分析およびＵＲＬアドレスとの接続のループが確立され、上記放送のカバレージが回復されたときオンデマンド放送ＵＲＬアドレスの接続が切断されるステップと、
（ｉｉｉ）現在の放送ＵＲＬリンクがトランケートされている（３０４）場合は、選択されたユーザプロファイル（３０６）に対応する全ての放送局（３０５）が検索され、マッチするものが見つかると（３０７）、選択放送局を表示して（３０９）、ユーザに呈示するか、デフォルトによりそれらの１つを選択する（３１１０）ステップ
とを備えたことを特徴する方法。
【請求項１４】
請求項１３に記載の方法において、
プロファイルと放送局との間にマッチするものがない場合（３０８）には、「適切でないプロファイル」のメッセージを表示して、スタート（３００）でループを閉じる。
【請求項１５】
請求項１２〜１４のいずれかに記載の方法において、
メモリに保存された遠隔ポッドキャストをダウンロードするステージを備え、プロファイルと放送局との間にマッチするものがない場合（３０８）またはお気に入りのＵＲＬが利用可能でない場合（３０４）に再生されることを特徴とする方法。
【請求項１６】
請求項１２〜１５のいずれかに記載の方法において、
ＧＰＳタイプのグローバルロケーション手段を備えた装置において実行され、ユーザが選んだルートに応じて、決まったラジオ放送またはテレビ放送を再生するステージを備えていることを特徴する方法。
【請求項１７】
請求項１２〜１６のいずれかに記載の方法において、
携帯装置とラジオ及び／またはテレビとが一体化され（３５）ており、放送が自動的にラジオ及び／またはテレビに送られて、再生されることを特徴する方法。
【請求項１８】
データ接続手段ＧＰＲＳ／ＵＭＴＳ（３４）あるいは同等のものを備え、また、対応するオンデマンド放送のＵＲＬアドレス（３２１）を有するラジオ放送局及び／またはテレビ放送局についての第１の放送局データベース（３１）と、複数のフィールド（３１１）によりユーザのリスニングの好みに応じて設定された少なくとも１つのユーザプロファイルを有する第２のユーザプロファイルデータベース（３２）とを少なくとも備えたオンデマンドラジオ放送局を自動的に獲得する装置であって、
請求項１及び請求項１２〜１７の何れか１に記載の方法を実行する手段を備えたことを特徴とする装置。
【請求項１９】
請求項１８に記載の装置を備えたことを特徴とする携帯電話。
【発明の詳細な説明】
【技術分野】
【０００１】
本発明の対象は、ＧＰＳタイプまたはそれと同様のナビゲータ装置を介してラジオ局のダイヤルを探し出す（localizacion)方法であり、次の方法の少なくとも１つによって、探し出し（localizacion)のためのラジオダイヤルのリストをユーザに提供するように構成されている。
【０００２】
−  装置によって提供されるＧＰＳ座標を使用。これは、カバレージの問題とラジオ受信機におけるＲＤＳ技術の使用の問題を回避する。
【０００３】
−  ネットワークアンテナ及び／またはＷｉＦｉアンテナによって提供される携帯電話の位置を使用。これは、カバレージの問題とラジオ及び／またはテレビ受信機におけるＲＤＳ技術の使用の問題を回避する。
【０００４】
−  ＧＰＲＳ／ＵＭＴＳ／ＨＳＤＰＡタイプの接続またはそれら全てのラジオ放送局またはテレビネットワーク（そのときストリーミングで接続される）よりも高次の接続を使用。これは、カバレージの問題とラジオ及び／またはテレビ受信機におけるＲＤＳ技術の使用の問題を回避する。
【背景技術】
【０００５】
現在、道路の旅において、ある特定のＦＭ(周波数変調）ラジオ放送局のカバレージが無くなることがよくある。その理由は、特に地形が岩だらけでごつごつしているルートにおいては、中波（ＡＭ）よりも、それが最もよく使用されているサービスであるからである。  
一般に、ＦＭラジオ放送は、５０ｋｍから７０ｋｍの間の標準的カバレージを有する。これらの距離を巡回すると、受信機がＲＤＳ（ラジオデータシステム）タイプのものであれば、同じラジオ放送局を別の柱またはアンテナで自動的に探し出すことができる（但し、その放送が正しく暗号化されていればである）。ＲＤＳ技術は、少量のデジタル情報（例えば、放送ネットワークのコード等）を従来のＦＭタイプのラジオ（無線）を使用して送信するための、欧州放送ユニオン（European Broadcasting Union)のスタンダードである。
【０００６】
しかし、大多数の場合、放送局は他の送信アンテナを持っていないため、カバレージが失われ、ユーザに対して、気を紛らしたり、新しい放送局（この放送局は、ユーザの好みや必要性に合致していなくてもいい）を手動で探し出すことを、強いることになる。同様に、同じ放送局が、いろいろな柱において、同一の符号化情報を含んでいないために、ＲＤＳシステムが利用できなくなることもある（この事象は、これらの柱が、互いに結合（連携、提携）しているけれども、メインの放送ネットワークに関して、所有者が異なる場合に、よく起こる）。
【０００７】
したがって、放送（ＲＤＳ）によって提供されるデジタル情報とは関係なく、かつ、ユーザが予め定義したプロファイルに従って、所定の地理的位置における所定の放送についてユーザに報告する方法と装置が必要である。
【０００８】
いま持ち上がっている別の技術的問題は、通信と携帯電話を介してのインターネットへのアクセスシステムの改良に伴って、インターネット上のマルチメディアコンテンツのオンデマンドによる放送（ストリーミングとして知られている）がここ最近人気になっていることにある。したがって、ラジオ（無線）を介したメインの放送が失われたとき、放送（ＲＤＳ）によって提供されるデジタル情報に関係なく、ユーザが予め定義したプロファイルに従って、ストリーミングによる選ばれたラジオ放送との接続を可能とする方法及び装置を得ることは興味深いことである。
【発明の概要】
【０００９】
上述の技術的課題（放送のデジタル情報の所定の放送を探し出すことを独立化すること）を解決するために、そして衛星測位座標のお陰で、ラジオ放送局及び／またはテレビ放送局のロケーションポイント及びカバレージを有する第１の放送局データベースと、ユーザのリスニングの好みに応じて設定された少なくとも１つのユーザプロファイルを有する第２のユーザプロファイルデータベースとを少なくとも備えた、ＧＰＳ等の装置によってラジオ放送局を探し出す方法であって、
（ａ）上記第２のユーザプロファイルデータベースに少なくとも１つのユーザプロファイルを定義し、上記ユーザプロファイルは、少なくとも、上記ユーザに関してのリスニングの好みを有しており、
（ｂ）上記ユーザの位置について少なくとも１つのロケーションポイントつまりＧＰＳ座標を確立し、
（ｃ）上記（ｂ）で確立されたユーザの現在位置および上記（ａ）において設定された好みに応じて、上記ユーザに、上記ロケーションポイントにおける上記の特徴に合致する放送局を示し、上記ロケーションポイントでカバレージを有し上記ユーザの好みに合致する放送局の正確なダイヤルを示すことを特徴とする方法である発明が提案される。
【００１０】
本発明の一側面において、上記方法は、第１実施形態では、ＧＰＳテクノロジーを用いることによってラジオ放送局を自動的に探し出す装置に組み込まれており、この装置は、地理的ロケーションポイント及びダイヤルを有する第１のラジオ放送局のデータベースと、一連のフィールドによりユーザのリスニングの好みに応じて設定された少なくとも１つのユーザプロファイルを有する第２のユーザプロファイルデータベースとを有する。この装置は、携帯電話（移動電話）自体とは独立していても、それと一体化されていてもよい。
【００１１】
さらに、本発明の上記装置の第１実施形態では、ナビゲータとラジオとが一体化されて、ダイヤルが自動的に接続されてもよい。
【００１２】
本発明の第２実施形態において、携帯電話（移動電話）等を用いてラジオ放送局及び／またはテレビ放送局を自動的に探し出す方法は、ラジオ放送局及び／またはテレビ放送局（１３，２２１）のロケーションポイント及びカバレージを有する第１の放送局データベースと、ユーザのリスニングの好みに応じて設定された少なくとも１つのユーザプロファイルを有する第２のユーザプロファイルデータベースとを少なくとも備え、
（ａ）上記第２のユーザプロファイルデータベースに少なくとも１つのユーザプロファイルを定義し、上記ユーザプロファイルは、少なくとも、上記ユーザに関してのリスニングの好みを有しており、
（ｂ）携帯電話及び／またはそれにカバレージを与えるＷｉＦｉアンテナを特定することによって、少なくとも１つのユーザのロケーションポイントを確立し、
（ｃ）上記（ｂ）で確立されたユーザの現在位置および上記（ａ）において設定された好みに応じて、上記ユーザに、上記ロケーションポイントにおける上記の特徴に合致する放送局を示し、上記ロケーションポイントでカバレージを有し上記ユーザの好みに合致する放送局の正確なダイヤルを示すことを特徴とする。
【００１３】
この第２実施形態に係る方法は、カバレージ内の携帯電話を特定することによってラジオ放送局及び／またはテレビ放送局を自動的に探し出す装置に組み込まれる。この装置は、地理的ロケーションポイント及びダイヤルを有する、第１のラジオ放送局及び／またはテレビ放送局のデータベースと、一連のフィールドによりユーザのリスニングの好みに応じて設定された少なくとも１つのユーザプロファイルを有する第２のユーザプロファイルのデータベースとを有する。この装置は、携帯電話自体とは独立していても、それと一体化されていてもよい。
【００１４】
この第２実施形態の一側面において、携帯装置とラジオ及び／またはテレビとが一体化されていて、ダイヤルが自動的に接続されてもよい。
【００１５】
最後に、本発明の一実施形態では、装置がＧＰＲＳ手段を備えて、信号または通信をラジオ放送局及び／またはテレビ放送局に送るようにすることができる。
【００１６】
本発明の第３実施形態では、装置自体のインターネット接続により、現在聴かれている放送局のストリーミング放送を探し出す（但し、それは、そのストリーミング放送が、この装置に組み込まれたデータベース内で定義されている場合である）。または、このストリーミング放送が利用できないときには、その装置は新しい放送局を提供する。
【００１７】
本発明のこの第３実施形態において、携帯電話によってオンデマンドラジオ放送局を自動的に獲得する方法では、携帯電話が、データ接続手段と、オンデマンド放送のＵＲＬアドレスと特徴的放送のタイプとを有するラジオ放送局及び／またはテレビ放送局のデータベースと、ユーザの視聴（リスニングまたはビューイング）の好みに応じて設定された少なくとも１つのユーザプロファイルを有するユーザプロファイルデータベースとを少なくとも備えており、
（ａ）上記ユーザプロファイルのデータベースに少なくとも１つのユーザプロファイルを定義し、上記ユーザプロファイルは、少なくとも、上記ユーザに関してのリスニングの好みを有しており、
（ｂ）聴いている放送局のカバレージが喪失したときに確立して（establecer)、放送局データベースに対応するオンデマンド放送のＵＲＬアドレスと接続し、
上記オンデマンド放送が利用できない（リンクが無く、またはリンクがトランケートされている(truncado)）場合には、第２のデータベースに示されたユーザプロファイルに適した接続の提案リストをユーザに提供することを特徴としている。
【００１８】
この第３実施形態に係る方法は、データ接続手段ＧＰＲＳ／ＵＭＴＳあるいは同等のものを備え、また、対応するオンデマンド放送のＵＲＬアドレスを有するラジオ放送局及び／またはテレビ放送局についての第１の放送局データベースと、複数のフィールドによりユーザのリスニングの好みに応じて設定された少なくとも１つのユーザプロファイルを有する第２のユーザプロファイルデータベースとを少なくとも備えたオンデマンドラジオ放送局を自動的に獲得する装置に組み込まれる。この装置は、携帯電話自体から独立していてもいいし、携帯電話自体に一体化されていてもいい。
【００１９】
本発明の第２の側面において、携帯電話とラジオ及び／またはテレビを一体化して、携帯電話が捉えた放送をラジオ及び／またはテレビが流すことができる。
【００２０】
この明細書および請求項の全体を通じて、用語「備える」およびその変形体や同様の用語は、他の技術的特徴、添加物、成分またはステップ（ステージ）を排除することを意図したものでない。当業者にとっては、本発明の他の目的、利点および特徴が、一部は明細書から、そして一部は本発明の実施から導き出される。次に続く例と図面は説明のために提供したものであって、本発明を制限することを意図したものではない。加えて、本発明は、本明細書に示した個々の好ましい実施形態のあらゆる可能な組み合わせを包含するものである。
【図面の簡単な説明】
【００２１】
【図１】ＧＰＳ座標によりユーザ位置を特定する、本発明の第１実施形態に係る装置の概略図である。
【図２】ＧＰＳ座標によりユーザ位置を特定する、本発明の第１実施形態に係るラジオ放送局を自動的に探し出すアルゴリズムのフローチャートである。
【図３】携帯電話を用いてユーザ位置を特定する、本発明の第２実施形態に係る装置の概略図である。
【図４】携帯電話を用いてユーザ位置を特定する、本発明の第２実施形態に係るラジオ放送局を自動的に探し出す方法のフローチャートである。
【図５】オンデマンドでラジオ放送局からダウンロードする、本発明の第３実施形態に係る装置の概略図である。
【図６】オンデマンドでラジオ放送局からダウンロードする、本発明の第３実施形態に係るラジオ放送局を自動的に探し出す方法のフローチャートである。
【発明を実施するための形態】
【００２２】
実施形態１（ＧＰＳ座標によるユーザ位置の特定）
添付の図面、より詳しくは図１に示されるように、本発明の好ましい一実施形態に係る装置及び方法は、位置特定及びＧＰＳタイプのナビゲーション機能を備えた装置１０に組み込まれた第１のプロファイルデータベース１における複数のプロファイルの定義から始まる。
【００２３】
この第１のプロファイルデータベース１で、ユーザは、少なくとも、複数のフィールド１１を介してリスニングプロファイルを定義する。これらのフィールド１１は、非限定的な例として、放送言語、放送局のカテゴリー（ラジオフォーミュラ（radio-formula）、一般、スポーツ、等）、特定時間に放送される番組編成（経済情報、クラシック音楽、スポーツ中継、等）である。
【００２４】
同様に、第２の放送局データベース２は、第１のプロファイルデータベース１と同じフィールドに加えて、送信アンテナの位置座標に関する追加のフィールド１３およびこの送信アンテナのダイヤル１４に関する追加のフィールドでカテゴライズされる複数の放送局を定義している。これらのデータを用いれば探し出し（位置特定）（localizacion）は十分なものとなる。それ故、上記アンテナのカバレージは、地形の起伏（山岳地形性）を考慮することなく、最大７０ｋｍまで含むこととなり、地形の起伏に応じてカバレージ半径を減ずるアルゴリズムを実施できる。なぜならば、山岳地域については、２０ｋｍを超えて離れたところにある放送局を探し出すことができるのは希だからである。
【００２５】
この方法の次のステージつまりステップで、ＧＰＳ装置は装置１０の位置座標４、したがって、ユーザの位置座標を定義し、この位置に適した放送局のサーチを、図２に示すように、次のアルゴリズム（３）に従って、確立する。
スタート (100)
{
もし、現在位置= "x" ならば、放送局の位置を探す(101)。
{
もし、放送局の位置== 現在位置ならば(102)、
{
ユーザプロファイルを探す(103)。
もし、放送局のプロファイル== ユーザプロファイルならば(104)、
{
ダイヤルを表示する(105)。
}
もし、メッセージ("適当でないプロファイル")が表示されていないならば、
放送局をリストアップする(104A)。
}
もし、メッセージ（カバレージ内の放送局無し）が表示されていなければ、(103A)に進む 。
それ以外の場合、リターン(100)。
【００２６】
つまり、まずはじめに、現在位置４と放送局位置１３とのマッチング（１０１）が行われる。放送局位置１３は、地形の起伏に応じて変化するカバレージ半径を有しており、例えば、平坦な地形では７０ｋｍ、山岳地形では２０ｋｍである。
【００２７】
第２の放送局データベース２においてマッチするものが見つかったとき（１０２）、第１のプロファイルデータベース１内のユーザによって定義された好み（１０３）がマッチするかどうかを求め（１０４）、マッチする場合にはダイヤルを表示する（５，１０５）。
【００２８】
そうではなく、かつ、その原因がプロファイルの欠如によるものであれば（１０４Ａ）、「プロファイル外の放送局」等のタイプのメッセージが表示されるが、ユーザがプロファイルを変更する、または、定義済みのプロファイルに関係なく別のタイプの放送局を聴くことを決めることもあるといけないので、カバレージを有する放送局がリストアップされる。最後に、原因が放送局のカバレージの欠如であれば、「カバレージなし」（１０３Ａ）のメッセージが表示される。
【００２９】
何れの場合も、次のカバレージエリアまでの距離が表示されて、ユーザに知らされる。
【００３０】
本発明の方法は、別の好ましい実施形態において、第２の好きな曲を録音するステージつまりステップを備え、後でその放送局がユーザの意向で放送されるようになっている。これは、例えば、道路がカバレージ内にないエリアを通っている場合、あるいは、適当なリスニングプロファイルがない場合に、ユーザが、好みにマッチする放送であるが彼／彼女が別のライブ番組を聴いている間に流されたものを再生することができることを想定している。
【００３１】
同様に、この方法は、ユーザが選んだ道路（ルート）に基づいて、決まったラジオ放送をルーチン的に再生するステージを備えている。したがって、一つの可能性は、特定の道路に対してリスニングプロファイルを定義すること、例えば、家に戻るときはいつもニュースを聴く等である。
【００３２】
この方法は、ｔ時間毎に規則的に繰り返される。好ましい実施形態では、ＧＰＳ装置とラジオが一体化され、ダイヤルが自動的にラジオに送信して、接続を行う。
【００３３】
考慮すべき別の点は、スペクトルのギャップ（ここでは放送がない）で受信された信号を送り出すために、ラジオの完全な管理を、ラジオ受信機を内蔵し車両のラジオと接続した装置１０自体から行うことである。
【００３４】
実施形態２  （携帯電話の特定による探し出し（localizacion)）
添付の図面、より詳しくは図３に示されるように、本発明の好ましい実施形態に係る装置及び方法は、カバレージ内にある携帯電話の特定または／およびＷｉＦｉアンテナの特定による位置特定機能を備えた装置２１０に組み込まれた第１のプロファイルデータベース２１における複数のプロファイルの定義から始まる。
【００３５】
この第１のプロファイルデータベース２１で、ユーザは、少なくとも、複数のフィールド２１１を介してリスニングプロファイルを定義する。これらのフィールド２１１は、非限定的な例として、放送言語、放送局のカテゴリー（ラジオフォーミュラ（radio-formula）、一般、スポーツ、等）、特定時間に放送される番組編成（経済情報、クラシック音楽、スポーツ中継、等）である。
【００３６】
同様に、第２の放送局データベース２２は、第１のプロファイルデータベース２１と同じフィールドに加えて、送信アンテナのロケーション座標(las coordenadas de localizacion)に関する追加のフィールド２２１およびこの送信アンテナのダイヤル２２２に関する追加のフィールドでカテゴライズされる複数の放送局を定義している。これらのデータを用いれば探し出し（位置特定)(localizacion)は十分なものとなる。それ故、上記アンテナのカバレージは、地形の起伏（山地地形性）を考慮することなく、最大７０ｋｍまで含むこととなり、地形の起伏に応じてカバレージ半径を減ずるアルゴリズムを実施できる。なぜならば、山岳地域については、２０ｋｍを超えて離れたところにある放送局を探し出すことができるのは希だからである。
【００３７】
この方法の次のステージで、装置は、利用可能な携帯電話に基づいて装置２１０の（従ってユーザの）ロケーション座標(la coordinada de localizacion)２２４を定義し、この位置に適した放送局のサーチを、図４に示すように、次のアルゴリズム（２３）に従って、確立する。
スタート (200)
{
もし、現在位置= "x" ならば、放送局の位置を探す(201)。
{
もし、放送局の位置== 現在位置ならば(202)、
{
ユーザプロファイルを探す(203)。
もし、放送局のプロファイル== ユーザプロファイルならば(204)、
{
ダイヤルを表示する(205)。
}
もし、メッセージ("適当でないプロファイル")が表示されていないならば、
放送局をリストアップする(204A)。
}
もし、メッセージ（カバレージ内の放送局無し）が表示されていなければ、(203A)に進む 。
それ以外の場合、リターン(200)。
【００３８】
つまり、まずはじめに、現在位置２４と放送局位置２２１とのマッチング（２０１）が行われる。放送局位置２２１は、地形の起伏に応じて変化するカバレージ半径を有しており、例えば、平坦な地形では７０ｋｍ、山岳地形では２０ｋｍである。
【００３９】
第２の放送局データベース２２にマッチするものが見つかったとき（２０２）、第１のプロファイルデータベース２１内のユーザによって定義された好み（２０３）がマッチするかどうかを求め（２０４）、ポジティブの場合（マッチする場合）にはダイヤルを表示する（２５，２０５）。
【００４０】
そうではなく、かつ、その原因がプロファイルの欠如によるものであれば（２０４Ａ）、「プロファイル外の放送局」等のタイプのメッセージが表示されるが、ユーザがプロファイルを変更する、または、定義済みのプロファイルに関係なく別のタイプの放送局を聴くことを決めることもあるといけないので、カバレージを有する放送局がリストアップされる。最後に、原因が放送局のカバレージの欠如であれば、「カバレージなし」（２０３Ａ）のメッセージが表示される。
【００４１】
本発明の方法は、この第２の実施形態において、一つの特色として、第２の好きな曲を録音するステージを備え、後でその放送局がユーザの思いのままに放送されるようになっている。これは、例えば、道路がカバレージ内にないエリアを通っている場合、あるいは、適当なリスニングプロファイルがない場合に、ユーザが、好みにマッチする放送であるが彼／彼女が別のライブ番組を聴いている間に流されたものを再生することができることを想定している。
【００４２】
同様に、本発明の方法は、この第２の実施形態において、ユーザが選んだ道路（ルート）に基づいて、決まったラジオ放送またはテレビ放送をルーチンとして再生するステージを備えている。したがって、一つの可能性は、特定の道路に対してリスニングプロファイルを定義すること、例えば、家に戻るときはいつもニュースを聴く等である。
【００４３】
この第２の実施形態に係る方法は、ｔ時間毎に規則的に繰り返される。一つの特色として、携帯装置とラジオ及び／またはテレビとが一体化され、ダイヤルが自動的にラジオ及び／またはテレビに送信して、接続する（ダイヤルが自動的に接続される）。
【００４４】
別の特徴として、本発明の第２の実施形態は、装置からラジオ放送局及び／またはテレビ放送局へのＧＰＲＳデータ送信のステージをさらに備えている。これらのデータは可変であり、例えば、単なるリスニングの通知から任意のタイプのコンペティションへの参加まである。
【００４５】
実施形態３（オンデマンドのダウンローディングによるラジオ放送局の探し出し）
図５及び６に示すように、本発明の第３の実施形態の装置は、携帯電話、好ましくはＧＰＲＳ／ＵＭＴＳあるいは同等のものを介しての遠隔データ接続機能を備えた装置３１０に組み込まれた第１のプロファイルデータベース３１における少なくとも１つのプロファイルの定義から始まる。
【００４６】
この第１のプロファイルデータベース３１で、ユーザは、少なくとも、複数のフィールド３１１を介してリスニングプロファイルを定義する。これらのフィールド３１１は、非限定的な例として、放送言語、放送局のカテゴリー（ラジオフォーミュラ（radioformula）、一般、スポーツ、等）、特定時間に放送される番組編成（経済情報、クラシック音楽、スポーツ放送、等）である。
【００４７】
同様に、第２の放送局データベース３２は、オンデマンドダウンローディングのＵＲＬアドレス３２１で複数の放送局を定義しており、これらの放送局は第１のプロファイルデータベース３１と同じフィールドによりカテゴライズされている。
【００４８】
この方法の第２のステージで、放送のカバレージの喪失閾値が定められ、これに基づきこの方法は図６に示すアルゴリズムに従って放送ＵＲＬアドレスに接続する。このアルゴリズムを以下に定義する。
【００４９】
アルゴリズムは、現在の放送についてカバレージがあるかないかを分析する（３０１）ことから始める（３００）。もしあれば、アルゴリズムは始め（３００）で終了し、その放送についてカバレージがあるかないかを判断することによりループを確立する。
【００５０】
カバレージの存在が否定的な場合には、アルゴリズムは第２の放送局データベース３２でＵＲＬアドレスを探し（３０２）、それと接続し、リンクが利用可能（３０３）かトランケートされている(truncado) （３０４）かを発見する。リンクが利用可能（３０３）ならば、カバレージの分析およびＵＲＬアドレスとの接続のループが確立され、放送のカバレージが回復されたときオンデマンド放送ＵＲＬアドレスの接続が切断されて、資源を最適化する。
【００５１】
現在の放送ＵＲＬリンクがトランケートされている（３０４）場合は、選択されたユーザプロファイル（３０６）に対応する全ての放送局（３０５）が検索される。マッチするものが見つかると（３０７）、選択放送局を表示して（３０９）、ユーザに呈示するか、デフォルトによりそれらの１つを選択する（３１１０）の少なくとも一方が行われ、ループを閉じる。マッチするものがない場合（３０８）には、「適切でないプロファイル」のメッセージを表示して、スタートでループを閉じる。
【００５２】
本発明の方法の別の実施形態は、リモートポッドキャストを遠隔でダウンロードするステージを備えており（ポッドキャスティングとは、マルチメディアファイル（通常はオーディオファイルまたはビデオファイル）の配信で、ユーザが好きなときに聴けるよう、申込み（会員登録）とそのファイルをダウンロードするプログラムの使用を可能とするシンジケートシステムを介して行われる。それらをダウンロードするために申込みする必要はない。）、そのために、放送局データベースは、ファイルのダウンロードＵＲＬを有するさらなるフィールド３２２を備えている必要がある。上記ファイルのダウンロードＵＲＬは、装置３１０自体のメモリーに保存されて、プロファイル間及び放送局間にマッチするものがない場合（３０８）あるいはお気に入りのＵＲＬが利用できない場合に（３０４），新たな放送局のサーチに優先して、再生される。
【００５３】
同様に、本発明の方法は、この第３の実施形態において、装置がＧＰＳタイプのグローバルロケーション手段を備えている場合、ユーザが選んだルートに応じて、決まったラジオ放送またはテレビ放送をルーチン再生するステージを備えている。したがって、一つの可能性は、特定の道路に対してリスニングプロファイルを定義することであり、例えば、「仕事へ向かうルートではいつもニュースを聴く」と定義することが可能である。
【００５４】
この方法は、ｔ時間毎に規則的に繰り返される。好ましい一実施形態では、携帯装置とラジオ及び／またはテレビとが一体化され（３５）ており、放送が自動的にラジオ及び／またはテレビに送られて、再生される。
【００５５】
一般的にいえば、この明細書に記載した全てのことは、テレビ放送について望むならば、区別なく適用可能である。
【図１】
2013511880.tif 000003
【図２】
2013511880.tif 000004
【図３】
2013511880.tif 000005
【図４】
2013511880.tif 000006
【図５】
2013511880.tif 000007
【図６】
2013511880.tif 000008
【国際調査報告】
2013511880.tif 000009
2013511880.tif 000010
2013511880.tif 000011
2013511880.tif 000012
2013511880.tif 000013
2013511880.tif 000014
2013511880.tif 000015
2013511880.tif 000016